(57)【要約】【課題】コンテンツの追いかけ再生を行う際に、コンテンツの再生部分が放送中の部分に確実に追いつき、更にコンテンツの再生品質の悪化を抑制することができるコンテンツ再生方法、及び記録再生装置を提供する。【解決手段】  記録再生装置１は、追いかけ再生を行うに当たって、コンテンツを放送終了まで１倍速で再生した場合に必要となる時間Ｔ２の値を再生の開始時から放送の終了までの時間Ｔ１の値で除した除算値に等しい倍率の速度でコンテンツを再生する。これにより、コンテンツの放送が終了するのとほぼ同時にコンテンツの再生が終了するようになり、必要以上にコンテンツの再生速度が速くならないので、コンテンツの再生品質の悪化が抑制される。また記録再生装置１は、追いかけ再生時に広告をスキップする処理を行う。【選択図】図１
2007109281.tif 000002
【特許請求の範囲】
【請求項１】
放送中のコンテンツを記録しながら前記コンテンツの既に記録されている部分を再生する記録再生装置を用いてコンテンツを再生する方法において、
放送中のコンテンツの再生を開始する時点から前記コンテンツの放送が終了する時点までの時間Ｔ１を求め、
記録されている前記コンテンツの部分の内で再生すべき部分の記録時間及び前記時間Ｔ１を含んだ時間Ｔ２を求め、
前記時間Ｔ２の値を前記時間Ｔ１の値で除した除算値を計算し、
計算した前記除算値に実質的に等しい倍率の速度で前記コンテンツを再生すること
を特徴とするコンテンツ再生方法。
【請求項２】
放送中のコンテンツを記録する記録手段と、該記録手段が記録実行中であるコンテンツの既に記録されている部分を再生する再生手段とを備える記録再生装置において、
放送中のコンテンツの再生を前記再生手段が開始する時点から前記コンテンツの放送が終了する時点までの時間Ｔ１を求める手段と、
前記時点における前記再生手段が再生を開始する部分以降の前記コンテンツの部分の記録時間及び前記時間Ｔ１を含んだ時間Ｔ２の値を、前記時間Ｔ１の値で除した除算値を計算する手段と、
該手段が計算した前記除算値に実質的に等しい倍率の速度で前記再生手段に前記コンテンツを再生させる手段と
を備えることを特徴とする記録再生装置。
【請求項３】
放送中のコンテンツを記録する記録手段と、該記録手段が記録実行中であるコンテンツの既に記録されている部分を再生する再生手段とを備える記録再生装置において、
放送中のコンテンツの再生を前記再生手段が開始する時点から前記コンテンツの放送が終了する時点までの時間Ｔ１を求める手段と、
前記時点における前記再生手段が再生を開始する部分以降の前記コンテンツの部分の記録時間及び前記時間Ｔ１を含んだ時間Ｔ２から前記記録時間中で広告が占める時間Ｔ３を減算した時間の値を、前記時間Ｔ１の値で除した除算値を計算する手段と、
該手段が計算した前記除算値に実質的に等しい倍率の速度で、前記再生手段に、前記時点で前記記録手段が記録している前記コンテンツの部分に含まれる広告をスキップして前記コンテンツを再生させる手段と
を備えることを特徴とする記録再生装置。
【請求項４】
放送中のコンテンツを記録する記録手段と、該記録手段が記録実行中であるコンテンツの既に記録されている部分を再生する再生手段とを備える記録再生装置において、
放送中のコンテンツの放送が終了する時点までの時間Ｔ１を計算する時間計算手段と、
前記記録手段が記録した前記コンテンツの部分の内で前記再生手段が以後に再生すべき部分の記録時間と前記時間計算手段が計算した前記時間Ｔ１とを含んだ時間Ｔ２から、前記記録時間中で広告が占める時間Ｔ３を減算した時間の値を、前記時間Ｔ１の値で除した除算値を計算する除算手段と、
該除算手段が計算した前記除算値に実質的に等しい倍率の速度で、前記再生手段に、広告をスキップしながら前記コンテンツを再生させる追いかけ再生手段と、
前記時間計算手段、前記除算手段及び前記追いかけ再生手段の動作を繰り返す手段と
を備えることを特徴とする記録再生装置。
【発明の詳細な説明】
【技術分野】
【０００１】
本発明は、放送されたコンテンツを記録し、放送中のコンテンツを記録しながらコンテンツの記録済みの部分を再生する追いかけ再生を行うことができるコンテンツ再生方法、及び記録再生装置に関する。
【背景技術】
【０００２】
従来、映像及び音声からなる放送されたコンテンツを磁気テープ、光ディスク又はハードディスク等の記録媒体に記録し、記録したコンテンツを後日再生することができる記録再生装置が普及している。特に、光ディスク又はハードディスク等のランダムアクセスが容易な記録媒体を用いる記録再生装置では、一方で放送中のコンテンツを記録媒体に記録しながら、他方で同じコンテンツのデータを記録媒体から読み出してコンテンツを再生することにより、時間をずらして視聴者にコンテンツを視聴させる追いかけ再生の機能を有しているものがある。追いかけ再生の際には、記録再生装置はコンテンツを早送りで再生し、使用者が視聴しているコンテンツの部分が放送中の部分に追いつくようにすることも可能となっている。このような追いかけ再生の技術は、例えば特許文献１に開示されている。
【特許文献１】特開２００４−１５８１５３号公報
【発明の開示】
【発明が解決しようとする課題】
【０００３】
追いかけ再生の処理では、視聴者が視聴するコンテンツの部分が放送中の部分に追いつくためには、記録再生装置は１倍速以上の速さでコンテンツを再生する必要があり、通常は１．５倍速又は２倍速等の予め定められた速さでコンテンツを再生する。しかしながら、コンテンツの再生速度が速くなるにつれ、コンテンツが含む映像及び音声の再生品質が悪化するという問題があり、再生品質の悪化を抑制するためには再生速度は可能な限り１倍速に近いことが望ましい。
【０００４】
本発明は、斯かる事情に鑑みてなされたものであって、その目的とするところは、コンテンツの追いかけ再生を行う際に、コンテンツの再生部分が放送中の部分に確実に追いつくことができるだけの再生速度を求め、求めた再生速度でコンテンツを再生することにより、コンテンツの再生品質の悪化を抑制することができるコンテンツ再生方法、及び記録再生装置を提供することにある。
【課題を解決するための手段】
【０００５】
本発明に係るコンテンツ再生方法は、放送中のコンテンツを記録しながら前記コンテンツの既に記録されている部分を再生する記録再生装置を用いてコンテンツを再生する方法において、放送中のコンテンツの再生を開始する時点から前記コンテンツの放送が終了する時点までの時間Ｔ１を求め、記録されている前記コンテンツの部分の内で再生すべき部分の記録時間及び前記時間Ｔ１を含んだ時間Ｔ２を求め、前記時間Ｔ２の値を前記時間Ｔ１の値で除した除算値を計算し、計算した前記除算値に実質的に等しい倍率の速度で前記コンテンツを再生することを特徴とする。
【０００６】
本発明に係る記録再生装置は、放送中のコンテンツを記録する記録手段と、該記録手段が記録実行中であるコンテンツの既に記録されている部分を再生する再生手段とを備える記録再生装置において、放送中のコンテンツの再生を前記再生手段が開始する時点から前記コンテンツの放送が終了する時点までの時間Ｔ１を求める手段と、前記時点における前記再生手段が再生を開始する部分以降の前記コンテンツの部分の記録時間及び前記時間Ｔ１を含んだ時間Ｔ２の値を、前記時間Ｔ１の値で除した除算値を計算する手段と、該手段が計算した前記除算値に実質的に等しい倍率の速度で前記再生手段に前記コンテンツを再生させる手段とを備えることを特徴とする。
【０００７】
本発明においては、記録再生装置は、放送中のコンテンツを記録しながら既に記録した部分を再生する追いかけ再生を行うに当たって、再生すべきコンテンツの部分を放送終了の部分まで１倍速で再生した場合に必要となる時間Ｔ２の値を再生の開始時から放送の終了までの時間Ｔ１の値で除した除算値に等しい倍率の速度でコンテンツを再生する。このような方法で再生速度を定めることにより、コンテンツの放送が終了するのとほぼ同時にコンテンツの再生が終了するようになる。
【０００８】
本発明に係る記録再生装置は、放送中のコンテンツを記録する記録手段と、該記録手段が記録実行中であるコンテンツの既に記録されている部分を再生する再生手段とを備える記録再生装置において、放送中のコンテンツの再生を前記再生手段が開始する時点から前記コンテンツの放送が終了する時点までの時間Ｔ１を求める手段と、前記時点における前記再生手段が再生を開始する部分以降の前記コンテンツの部分の記録時間及び前記時間Ｔ１を含んだ時間Ｔ２から前記記録時間中で広告が占める時間Ｔ３を減算した時間の値を、前記時間Ｔ１の値で除した除算値を計算する手段と、該手段が計算した前記除算値に実質的に等しい倍率の速度で、前記再生手段に、前記時点で前記記録手段が記録している前記コンテンツの部分に含まれる広告をスキップして前記コンテンツを再生させる手段とを備えることを特徴とする。
【０００９】
本発明においては、記録再生装置は、追いかけ再生を行うに当たって、１倍速でのコンテンツの再生に必要な時間Ｔ２から再生を開始する時点で既に記録されている広告の部分が占める時間Ｔ３を減算した時間の値を放送終了までの時間Ｔ１の値で除した除算値に等しい倍率の再生速度を求め、既に記録している広告の部分をスキップして、求めた再生速度でコンテンツを再生する。コンテンツの再生を開始する時点で既に記録されている広告の部分を除いたコンテンツを時間Ｔ１内で再生することになるので、広告を含んだコンテンツを再生する場合に比べてコンテンツの再生速度がより遅くなる。
【００１０】
本発明に係る記録再生装置は、放送中のコンテンツを記録する記録手段と、該記録手段が記録実行中であるコンテンツの既に記録されている部分を再生する再生手段とを備える記録再生装置において、放送中のコンテンツの放送が終了する時点までの時間Ｔ１を計算する時間計算手段と、前記記録手段が記録した前記コンテンツの部分の内で前記再生手段が以後に再生すべき部分の記録時間と前記時間計算手段が計算した前記時間Ｔ１とを含んだ時間Ｔ２から、前記記録時間中で広告が占める時間Ｔ３を減算した時間の値を、前記時間Ｔ１の値で除した除算値を計算する除算手段と、該除算手段が計算した前記除算値に実質的に等しい倍率の速度で、前記再生手段に、広告をスキップしながら前記コンテンツを再生させる追いかけ再生手段と、前記時間計算手段、前記除算手段及び前記追いかけ再生手段の動作を繰り返す手段とを備えることを特徴とする。
【００１１】
本発明においては、記録再生装置は、追いかけ再生を行うに当たって、１倍速でのコンテンツの再生に必要な時間Ｔ２から記録された広告の時間Ｔ３を減算した時間の値を放送終了までの時間Ｔ１で除した除算値に等しい倍率の再生速度を求め、コンテンツの記録の進行に伴って再生速度の計算を繰り返し、広告をスキップしながらその都度計算した再生速度でコンテンツを再生する。コンテンツの記録の進行に伴って順次記録される広告の部分を除いたコンテンツを時間Ｔ１内で再生できるように順次再生速度を計算し直すので、コンテンツの再生速度は徐々に遅くなり、再生開始時に記録されている広告の部分を除いたコンテンツを再生する場合に比べて再生速度がより遅くなる。
【発明の効果】
【００１２】
本発明にあっては、追いかけ再生を行うに当たって、コンテンツの放送が終了するのとほぼ同時にコンテンツの再生が終了するようにコンテンツの再生速度を定めるので、コンテンツの再生がコンテンツの放送に確実に追いつくことができる。また、必要以上にコンテンツの再生速度を速くすることがないので、追いかけ再生の実行時にコンテンツの再生品質の悪化を抑制することができる。
【００１３】
また本発明にあっては、追いかけ再生を行うに当たって、コンテンツの再生を開始する時点で既に記録されている広告の部分を除いたコンテンツを放送終了までの時間内で再生することになるので、追いかけ再生の実行時にコンテンツの再生がコンテンツの放送に確実に追いつくことができることに加え、広告を含んだコンテンツを再生する場合に比べてコンテンツの再生速度がより遅くなって、追いかけ再生の実行時にコンテンツの再生品質の悪化をより抑制することができる。
【００１４】
更に本発明にあっては、追いかけ再生を行うに当たって、コンテンツの記録の進行に伴って順次記録される広告の部分を除いたコンテンツを放送終了までの時間内で再生できるように順次再生速度を計算し直すので、コンテンツの再生速度は徐々に遅くなり、再生開始時に記録されている広告の部分を除いたコンテンツを再生する場合に比べて再生速度がより遅くなる。従って、追いかけ再生の実行時にコンテンツの再生がコンテンツの放送に確実に追いつくことができることに加え、再生開始時に記録されている広告の部分を除いたコンテンツを再生する場合に比べてコンテンツの再生速度がより遅くなるので、追いかけ再生の実行時にコンテンツの再生品質の悪化を確実に防止することが可能となる。また使用者は、広告を含まないコンテンツを追いかけ再生で観賞することが可能となる等、本発明は優れた効果を奏する。
【発明を実施するための最良の形態】
【００１５】
以下本発明をその実施の形態を示す図面に基づき具体的に説明する。
図１は、本発明の記録再生装置１の内部構成を示すブロック図である。本発明の記録再生装置１は、テレビジョン受像機２に接続されており、テレビジョン受像機２を用いてコンテンツを再生する処理を行う構成となっている。記録再生装置１は、記録再生装置１全体の動作を制御する制御部１１を備えている。制御部１１には、記録再生装置１が各種の処理を実行する際に必要な情報を記憶するＲＡＭ１２と、記録再生装置１を制御部１１が制御するための制御プログラムを記憶するＲＯＭ１３とが接続されている。また制御部１１には、使用者が操作するリモートコントローラ（リモコン）３から送信された信号を受信するリモコン受信部１４が接続されている。
【００１６】
また制御部１１には、映像信号及び音声信号の処理及び伝送を行う信号処理部１５が接続されている。制御部１１及び信号処理部１５には、地上波放送、衛星放送、有線放送、アナログ放送、デジタル放送等の各種の放送を受信するためのチューナ部１７が接続されている。チューナ部１７は、図示しない外部のアンテナ又は通信線に接続されており、このアンテナ又は通信線を介して各種の放送信号を受信することによって、放送されたコンテンツを受信する。信号処理部１５は、チューナ部１７が受信した放送信号をデコードして映像信号及び音声信号に変換する等の信号処理を行う。またチューナ部１７は、番組に対応する放送信号以外に電子番組表（ＥＰＧ）データを受信することが可能であり、記録再生装置１は、番組選択等の各種の処理を受信したＥＰＧデータを利用して実行することができる構成となっている。
【００１７】
また制御部１１及び信号処理部１５には、ハードディスク、光ディスク又は半導体メモリ等のランダムアクセス可能な記録媒体に対してデータの記録及び読み出しを行う記録部（記録手段）１８が接続されている。記録部１８は、記録媒体を内蔵している形態であってもよく、着脱可能な記録媒体を受け入れてデータの記録及び読み出しを行う形態であってもよい。信号処理部１５は、チューナ部１７が受信した放送信号を処理して記録用にエンコードし、制御部１１は、信号処理部１５がエンコードしたデータを記録部１８に記録させることによって、放送されたコンテンツを記録部１８に記録させる。
【００１８】
また信号処理部１５には、外部へ映像信号及び音声信号を出力する出力部１６が接続されている。出力部１６は、ブラウン管ディスプレイ又は液晶ディスプレイ等を用いたテレビジョン受像機２に接続可能な構成となっている。信号処理部１５は、チューナ部１７が受信した放送信号又は記録部１８が読み出したデータを処理し、出力部１６は、信号処理部１５がデータを処理した映像信号及び音声信号をテレビジョン受像機２へ出力する。テレビジョン受像機２は、記録再生装置１からの映像信号及び音声信号に基づき、映像を表示して音声を出力する。このようにして、制御部１１、記録部１８、信号処理部１５及び出力部１６は、本発明に係る再生手段として機能する。
【００１９】
次に、以上の構成でなる記録再生装置１が実行する本発明のコンテンツ再生方法を説明する。記録再生装置１は、放送信号をチューナ部１７で受信することによって方法されたコンテンツを受信し、受信したコンテンツのデータを記録部１８で記録しながら、コンテンツのデータを記録部１８から読み出してコンテンツを再生する追いかけ再生を実行することができる。追いかけ再生では、再生部分が放送に追いつくように１倍速よりも速い再生速度で再生を行うが、本発明のコンテンツ再生方法では、コンテンツに合わせて再生速度を計算し、計算した再生速度でコンテンツを再生する処理を行う。
【００２０】
図２は、本発明の記録再生装置１が再生速度を計算した上で追いかけ再生を行う処理の手順を示すフローチャートである。記録再生装置１の制御部１１は、ＲＯＭ１３が記録する制御プログラムに従って以下の処理を実行する。使用者が操作するリモコン３からの処理信号をリモコン受信部１４で受信して、記録再生装置１は、チューナ部１７が受信したＥＰＧデータを用いて番組の指定を受け付けるか、又はコンテンツを記録すべきチャンネル及び日時の指定を受け付けることにより、コンテンツの記録予約を受け付ける。制御部１１は、受け付けた予約の情報をＲＡＭ１２に記憶させ、コンテンツの記録を開始すべき日時を待ち受ける処理を行う。制御部１１は、コンテンツの記録を開始すべき日時になったときに、予約で指定されたコンテンツの放送信号をチューナ部１７に受信させ、受信した放送信号を信号処理部１５に記録用に処理させ、記録用に処理したコンテンツのデータを記録部１８に記録させて、放送中のコンテンツを記録する（Ｓ１１）。
【００２１】
制御部１１は、次に、使用者がリモコン３を操作することにより、記録中のコンテンツを再生する指示をリモコン受信部１４で受け付けることを待ち受ける（Ｓ１２）。コンテンツの再生指示の受付がない場合は（Ｓ１２：ＮＯ）、制御部１１は、コンテンツを記録しながら、コンテンツの再生指示の受付の待ち受けを続行する。記録中のコンテンツの再生指示を受け付けた場合は（Ｓ１２：ＹＥＳ）、制御部１１は、予約されている記録終了の日時と現在日時とを比較するか又はＥＰＧデータが示すコンテンツの放送日時を参照する等の方法により、再生を開始する時点から記録中のコンテンツの放送が終了する時点までの時間Ｔ１を計算する（Ｓ１３）。制御部１１は、次に、コンテンツの記録部１８で記録されている部分の内で再生すべき部分の記録時間と時間Ｔ１とを加算した時間Ｔ２を計算する（Ｓ１４）。この時間Ｔ２は、既に記録されたコンテンツの再生すべき部分の記録時間をＴｒとすると、Ｔ２＝Ｔｒ＋Ｔ１となり、記録再生装置１がコンテンツを１倍速で再生した場合に再生に必要となる時間である。なお、Ｔｒ＋Ｔ１に更に所定量を加減してＴ２を計算する処理を行ってもよい。制御部１１は、次に、時間Ｔ２の値を時間Ｔ１の値で除した除算値を計算し、１倍速に比べたコンテンツの再生速度を、計算した除算値に実質的に等しい倍率の速度とすることにより、コンテンツの再生速度を計算する（Ｓ１５）。即ち、再生速度は（Ｔ２／Ｔ１）倍速となる。
【００２２】
制御部１１は、次に、記録部１８にコンテンツのデータを読み出させ、計算した再生速度でコンテンツを再生できるように信号処理部１５にデータを処理させ、データを処理した映像信号及び音声信号を出力部１６にテレビジョン受像機２へ出力させることによって、計算した再生速度でコンテンツを再生する処理を行う（Ｓ１６）。テレビジョン受像機２は、記録再生装置１からの映像信号及び音声信号に基づき、記録再生装置１が計算した再生速度でコンテンツを出力する。
【００２３】
制御部１１は、次に、使用者がリモコン３を操作することによりコンテンツの再生終了の指示をリモコン受信部１４で受け付けるか、又は記録中のコンテンツの放送が終了する等による、コンテンツの再生終了の機会を待ち受ける（Ｓ１７）。コンテンツの再生終了の機会がない場合は（Ｓ１７：ＮＯ）、制御部１１は、コンテンツを記録しながら、計算した再生速度でコンテンツを再生する処理を続行する。コンテンツの再生終了の機会が来た場合は（Ｓ１７：ＹＥＳ）、制御部１１は、コンテンツを再生する処理を終了する。
【００２４】
以上詳述した如く、本発明の記録再生装置１は、放送中のコンテンツを記録しながら既に記録した部分を再生する追いかけ再生を行うに当たって、再生すべきコンテンツの部分を放送終了の部分まで１倍速で再生した場合に必要となる時間Ｔ２の値を再生の開始時から放送の終了までの時間Ｔ１の値で除した除算値に等しい倍率の速度でコンテンツを再生する。このような方法で再生速度を定めることにより、コンテンツの放送が終了するのとほぼ同時にコンテンツの再生が終了するようになる。従って、追いかけ再生の実行時に、コンテンツの再生がコンテンツの放送に確実に追いつくことができる。また、必要以上に再生速度を速くすることがないので、追いかけ再生の実行時にコンテンツの再生品質の悪化を抑制することができる。
【００２５】
ところで、放送されたコンテンツには、所定の映像及び音声からなる広告（ＣＭ）が一般的に含まれている。本発明の記録再生装置１は、記録したコンテンツに含まれるＣＭの部分をスキップしてコンテンツを再生することができる構成となっている。図３は、本発明の記録再生装置１がＣＭをスキップして追いかけ再生を行う処理の手順を示すフローチャートである。記録再生装置１の制御部１１は、ＲＯＭ１３が記録する制御プログラムに従って以下の処理を実行する。制御部１１は、コンテンツの記録を開始すべき日時になったときに、予約で指定されたコンテンツの放送信号をチューナ部１７に受信させ、受信した放送信号を信号処理部１５に記録用に処理させ、記録用に処理したコンテンツのデータを記録部１８に記録させて、放送中のコンテンツを記録する（Ｓ２１）。制御部１１は、次に、使用者がリモコン３を操作することにより、記録中のコンテンツを再生する指示をリモコン受信部１４で受け付けることを待ち受ける（Ｓ２２）。コンテンツの再生指示の受付がない場合は（Ｓ２２：ＮＯ）、制御部１１は、コンテンツを記録しながら、コンテンツの再生指示の受付の待ち受けを続行する。記録中のコンテンツの再生指示を受け付けた場合は（Ｓ２２：ＹＥＳ）、制御部１１は、ＲＡＭ１２が記憶している予約の情報に基づいて、再生を開始する時点から記録中のコンテンツの放送が終了する時点までの時間Ｔ１を計算する（Ｓ２３）。制御部１１は、次に、コンテンツの記録部１８で記録されている部分の内で再生すべき部分の記録時間と時間Ｔ１とを加算した時間である時間Ｔ２を計算する（Ｓ２４）。
【００２６】
制御部１１は、次に、記録部１８で記録されているコンテンツの再生すべき部分の内で、ＣＭが記録されている部分を特定し、コンテンツの再生すべき部分の記録時間の内でＣＭの部分が占める時間Ｔ３を求める（Ｓ２５）。ここで制御部１１は、モノラル音声のコンテンツの中からステレオ音声のＣＭの部分を特定するか、又は２カ国語放送のコンテンツの中から１カ国語放送のＣＭの部分を特定する等、音声の種類の違いに基づいて、コンテンツの中からＣＭの部分を特定する。また記録再生装置１は、コンテンツの記録時にＣＭの部分を示す情報を同時に記録しておき、記録した情報を参照することでＣＭの部分を特定する処理を行う形態であってもよい。
【００２７】
制御部１１は、次に、時間Ｔ２からステップＳ２５で求めた時間Ｔ３を減算した減算時間を計算し（Ｓ２６）、次に、計算した減算時間の値を時間Ｔ１の値で除算した除算値を計算し、計算した除算値に実質的に等しい倍率の再生速度とすることによってコンテンツの再生速度を計算する（Ｓ２７）。即ち、再生速度は｛（Ｔ２−Ｔ３）／Ｔ１｝倍速となる。制御部１１は、次に、記録部１８にコンテンツのデータを読み出させ、信号処理部１５に、再生開始の時点で記録されているＣＭの部分をデータから除外させ、更に計算した再生速度でコンテンツを再生できるようにデータを処理させ、データを処理した映像信号及び音声信号を出力部１６にテレビジョン受像機２へ出力させることによって、既に記録されているＣＭの部分をスキップして計算した再生速度でコンテンツを再生する処理を行う（Ｓ２８）。制御部１１は、次に、コンテンツの再生終了の指示をリモコン受信部１４で受け付けるか又は記録中のコンテンツの放送が終了する等によるコンテンツの再生終了の機会を待ち受ける（Ｓ２９）。コンテンツの再生終了の機会がない場合は（Ｓ２９：ＮＯ）、制御部１１は、コンテンツを記録しながら、計算した再生速度でコンテンツを再生する処理を続行する。コンテンツの再生終了の機会が来た場合は（Ｓ２９：ＹＥＳ）、制御部１１は、コンテンツを再生する処理を終了する。
【００２８】
以上の処理においては、本発明の記録再生装置１は、追いかけ再生を行うに当たって、再生を開始する時点で既に記録されているコンテンツに含まれるＣＭの部分が占める時間Ｔ３を時間Ｔ２から減算した時間の値を時間Ｔ１の値で除した除算値に等しい倍率の再生速度を求め、既に記録しているＣＭの部分をスキップして、求めた再生速度でコンテンツを再生する。コンテンツの再生を開始する時点で既に記録されているＣＭの部分を除いたコンテンツを放送終了までの時間内で再生することになるので、ＣＭを含んだコンテンツを再生する場合に比べてコンテンツの再生速度がより遅くなる。従って、追いかけ再生の実行時にコンテンツの再生がコンテンツの放送に確実に追いつくことができることに加え、ＣＭを含んだコンテンツを再生する場合に比べてコンテンツの再生速度がより遅くなるので、追いかけ再生の実行時にコンテンツの再生品質の悪化をより抑制することができる。
【００２９】
以上の処理では、コンテンツの再生を開始する時点で記録されているＣＭの部分を除いたコンテンツの再生速度を計算する処理を示したが、この処理では、コンテンツの再生を開始する時点ではまだ記録されていないコンテンツの部分に含まれるＣＭの部分を除いた再生速度を計算することはできない。本発明の記録再生装置１は、コンテンツの記録が進行する都度、コンテンツの再生速度を計算し直す処理を行うことができる構成となっている。図４は、本発明の記録再生装置１が再生速度の再計算を繰り返してＣＭをスキップしながら追いかけ再生を行う処理の手順を示すフローチャートである。記録再生装置１の制御部１１は、ＲＯＭ１３が記録する制御プログラムに従って以下の処理を実行する。制御部１１は、コンテンツの記録を開始すべき日時になったときに、予約で指定されたコンテンツの放送信号をチューナ部１７に受信させ、受信した放送信号を信号処理部１５に記録用に処理させ、記録用に処理したコンテンツのデータを記録部１８に記録させて、放送中のコンテンツを記録する（Ｓ３０１）。
【００３０】
制御部１１は、次に、使用者がリモコン３を操作することにより、記録中のコンテンツを再生する指示をリモコン受信部１４で受け付けることを待ち受ける（Ｓ３０２）。コンテンツの再生指示の受付がない場合は（Ｓ３０２：ＮＯ）、制御部１１は、コンテンツを記録しながら、コンテンツの再生指示の受付の待ち受けを続行する。記録中のコンテンツの再生指示を受け付けた場合は（Ｓ３０２：ＹＥＳ）、制御部１１は、ＲＡＭ１２が記憶している予約の情報に基づいて、現時点から記録中のコンテンツの放送が終了する時点までの時間Ｔ１を計算する（Ｓ３０３）。このようにして、制御部１１は本発明に係る時間計算手段として機能する。制御部１１は、次に、コンテンツの記録部１８で記録されている部分の内でこれから再生すべき部分の記録時間と時間Ｔ１とを加算した時間Ｔ２を計算する（Ｓ３０４）。
【００３１】
制御部１１は、次に、記録部１８で記録されているコンテンツのこれから再生すべき部分の内で、ＣＭが記録されている部分を特定し、コンテンツのこれから再生すべき部分の記録時間の内でＣＭの部分が占める時間Ｔ３を求める（Ｓ３０５）。制御部１１は、次に、時間Ｔ２からステップＳ３０５で求めた時間Ｔ３を減算した減算時間を計算し（Ｓ３０６）、計算した減算時間の値を時間Ｔ１の値で除した除算値を計算し、計算した除算値に実質的に等しい倍率の再生速度とすることによってコンテンツの再生速度を計算する（Ｓ３０７）。このようにして、制御部１１は本発明に係る除算手段として機能する。制御部１１は、次に、記録部１８にコンテンツのデータを読み出させ、信号処理部１５に、ＣＭの部分をデータから除外させ、更に計算した再生速度でコンテンツを再生できるようにデータを処理させ、データを処理した映像信号及び音声信号を出力部１６にテレビジョン受像機２へ出力させることによって、ＣＭの部分をスキップしながら、計算した再生速度でコンテンツを再生する処理を行う（Ｓ３０８）。このようにして、制御部１１は本発明に係る追いかけ再生手段として機能する。
【００３２】
制御部１１は、次に、コンテンツを再生しながら所定時間が経過したか又はコンテンツの所定の記録時間分を再生したか等に基づいて、所定量の再生を行ったか否かを判定する（Ｓ３０９）。所定量の再生を行っていない場合は（Ｓ３０９：ＮＯ）、コンテンツを記録しながら、計算した再生速度でコンテンツを再生する処理を続行する。所定量の再生を行った場合は（Ｓ３０９：ＹＥＳ）、制御部１１は、次に、コンテンツの再生終了の指示をリモコン受信部１４で受け付けるか又は記録中のコンテンツの放送が終了する等によるコンテンツの再生終了の機会を待ち受ける（Ｓ３１０）。コンテンツの再生終了の機会がない場合は（Ｓ３１０：ＮＯ）、制御部１１は、処理をステップＳ３０３へ戻して、コンテンツの記録が進行して新たに記録された部分を含むコンテンツからＣＭの部分を除外してコンテンツを再生するための再生速度を新たに計算し、ＣＭをスキップしながらコンテンツを再生する処理を繰り返す。コンテンツの再生終了の機会が来た場合は（Ｓ３１０：ＹＥＳ）、制御部１１は、コンテンツを再生する処理を終了する。
【００３３】
以上の処理においては、本発明の記録再生装置１は、追いかけ再生を行うに当たって、記録された再生すべきコンテンツに含まれるＣＭの時間Ｔ３を時間Ｔ２から減算した時間の値を時間Ｔ１の値で除した除算値に等しい倍率の再生速度を求め、コンテンツの記録の進行に伴って再生速度の計算を繰り返し、ＣＭをスキップしながらその都度計算した再生速度でコンテンツを再生する。コンテンツの記録の進行に伴って順次記録されるＣＭの部分を除いたコンテンツを放送終了までの時間内で再生できるように順次再生速度を計算し直すので、コンテンツの再生速度は徐々に遅くなり、再生開始時に記録されているＣＭの部分を除いたコンテンツを再生する場合に比べて再生速度がより遅くなる。従って、追いかけ再生の実行時にコンテンツの再生がコンテンツの放送に確実に追いつくことができることに加え、再生開始時に記録されているＣＭの部分を除いたコンテンツを再生する場合に比べてコンテンツの再生速度がより遅くなるので、追いかけ再生の実行時にコンテンツの再生品質の悪化を確実に防止することが可能となる。また使用者は、本発明の記録再生装置１を利用することにより、ＣＭを含まないコンテンツを追いかけ再生で観賞することが可能となる。
【００３４】
本発明の記録再生装置１は、再生速度を計算するための前述した３種類の処理の内、いずれの処理を実行するかを設定により変更可能である。また記録再生装置１は、いずれか一又は二の処理を実行する形態であってもよい。
【図面の簡単な説明】
【００３５】
【図１】本発明の記録再生装置の内部構成を示すブロック図である。
【図２】本発明の記録再生装置が再生速度を計算した上で追いかけ再生を行う処理の手順を示すフローチャートである。
【図３】本発明の記録再生装置がＣＭをスキップして追いかけ再生を行う処理の手順を示すフローチャートである。
【図４】本発明の記録再生装置が再生速度の再計算を繰り返してＣＭをスキップしながら追いかけ再生を行う処理の手順を示すフローチャートである。
【符号の説明】
【００３６】
１  記録再生装置
１１  制御部
１３  ＲＯＭ
１４  リモコン受信部
１５  信号処理部
１６  出力部
１７  チューナ部
１８  記録部（記録手段）
２  テレビジョン受像機
【図１】
2007109281.tif 000003
【図２】
2007109281.tif 000004
【図３】
2007109281.tif 000005
【図４】
2007109281.tif 000006